(57)【要約】【課題】防水扉の回動操作を容易にし、コンパクトな起上式防水扉装置の提供を目的とする。【解決手段】防水扉を出入口の通路面下に設けた収納部に概ね水平状態に収納し、当該防水扉が回動し起立状態になることで当該出入口を閉塞する起上式の防水扉装置であって、支持装置に回動可能に支持された防水扉と、防水扉の裏面側を押し上げる回動アームと、回動アームに復元力を付与する弾性復元装置とを備え、前記回動アームの先端部は防水扉の裏面に沿って上下方向に移動し、前記防水扉の裏面は前記回動アームの先端部の移動をガイドするガイド部材を有し、前記ガイド部材は前記回動アーム側に向けて円弧状に突出した円弧形状部になっていることを特徴とする。【選択図】  図１
2016118039.tif 000002
【特許請求の範囲】
【請求項１】
防水扉を出入口の通路面下に設けた収納部に概ね水平状態に収納し、当該防水扉が回動し起立状態になることで当該出入口を閉塞する起上式の防水扉装置であって、
支持装置に回動可能に支持された防水扉と、防水扉の裏面側を押し上げる回動アームと、回動アームに復元力を付与する弾性復元装置とを備え、
前記回動アームの先端部は防水扉の裏面に沿って上下方向に移動し、
前記防水扉の裏面は前記回動アームの先端部の移動をガイドするガイド部材を有し、
前記ガイド部材は前記回動アーム側に向けて円弧状に突出した円弧形状部になっていることを特徴とする起上式防水扉装置。
【請求項２】
前記円弧形状部は前記防水扉が概ね水平状態に収納された際に回動アームの先端部が当該防水扉の裏面に接する始点から、前記防水扉が概ね起立状態になった際に回動アームの先端部が当該防水扉の裏面に接する終点の間に亘って円弧形状になっていることを特徴とする請求項１記載の起上式防水扉装置。
【請求項３】
前記弾性復元装置はトーションバー又はコイルバネであることを特徴とする請求項１又は２記載の起上式防水扉装置。
【発明の詳細な説明】
【技術分野】
【０００１】
本発明は、大雨や洪水時等に、建築物内，地下道内，駐車場内等の施設内に水が浸入しないように出入口を一時的に閉塞するための防水扉装置に関する。
【背景技術】
【０００２】
この種の防水扉装置は、平常時に出入口の床面や路面等の通路面下に収納しておき、大雨や洪水が発生した時に防水扉を起立させ、出入口を塞ぐようにした起上式のものがある。
防水扉の起立回動操作を駆動源にて自動操作する自動タイプと、人が起立回動させる手動タイプの２種類がある。
この起上式にあっては、防水扉が水平状態から約４５°前後まで起立させる段階での力が大きく、防水扉の裏面側を押し上げるためのバネ等による復元装置を取り付けるとともに、防水扉をこの復元力に反するように収納部にロック保持させてあり、防水扉を起立させる際にはこのロックを解除し、防水扉の起立側端部付近を持ち上げるように回動及び起立させることが行われている。
従って、この復元力が弱いと防水扉を起立させるのが大変であり、手動式にあっては持ち上げ時に大きな人の力が必要であり、自動式にあっては出力の大きな駆動源が必要となる。
逆にこの復元力が強すぎると、防水扉の水平方向収納時のはね上がり力が大きくなりすぎる技術課題があった。
本出願人は、先に扉の開閉操作の改善を目的に複数の回動アームを設け、この複数の回動アームの復元力に差を設けた技術を提案している。
これに対して本発明は、回動アームの回動軌跡及び接点の角度に着目したものである。
【先行技術文献】
【特許文献】
【０００３】
【特許文献１】特許第４７６１４０５号公報
【発明の概要】
【発明が解決しようとする課題】
【０００４】
本発明は、防水扉の回動操作を容易にし、コンパクトな起上式防水扉装置の提供を目的とする。
【課題を解決するための手段】
【０００５】
本発明に係る起上式防水扉装置は、防水扉を出入口の通路面下に設けた収納部に概ね水平状態に収納し、当該防水扉が回動し起立状態になることで当該出入口を閉塞する起上式の防水扉装置であって、支持装置に回動可能に支持された防水扉と、防水扉の裏面側を押し上げる回動アームと、回動アームに復元力を付与する弾性復元装置とを備え、前記回動アームの先端部は防水扉の裏面に沿って上下方向に移動し、前記防水扉の裏面は前記回動アームの先端部の移動をガイドするガイド部材を有し、前記ガイド部材は前記回動アーム側に向けて円弧状に突出した円弧形状部になっていることを特徴とする。
ここで、円弧形状部は前記防水扉が概ね水平状態に収納された際に回動アームの先端部が当該防水扉の裏面に接する始点から、前記防水扉が概ね起立状態になった際に回動アームの先端部が当該防水扉の裏面に接する終点の間に亘って円弧形状になっているのが好ましい。
本発明において、弾性復元装置は駆動源を必要としない弾性手段による復元力をいい、例えばトーションバー，コイルバネ等が例として挙げられる。
コイルバネには、圧縮コイル，引張コイル等が含まれる。
【発明の効果】
【０００６】
防水扉の平坦な裏面を回動アームの先端部にて押し上げると、回動アームの起立に伴い、バネ等の復元力が防水扉の水平状態０°から起立方向４５°位までの間は急激に低下するのに対して、防水扉の起立側端部にかかる荷重変化はそれ程に低下しないので手動式の場合、人による起立回動操作が大変であった。
これに対して、本発明に係る防水扉装置にあっては、回動アームの先端部の移動軌跡をガイドするガイド部材を円弧形状にしたので、この円弧部の突出量の分だけ回動アームの戻り角度を小さく抑えることができ、その分だけ従来よりも大きな復元力となる。
これにより、起立回動操作時の人への負担が軽減されるとともに、収納時のはね上がり力を小さくすることができる。
また、自動式の場合、駆動装置を小さくできる。
【図面の簡単な説明】
【０００７】
【図１】本発明に係る防水扉の動きの説明図を示す。（ａ）は収納状態、（ｂ）は回動状態、（ｃ）は起立状態を示す。
【図２】ガイド部材の形状を示し、（ａ）は斜視図、（ｂ）は回動アームの先端部との関係を示す。
【図３】防水扉の収納部の防止扉を除いた状態を示す。
【図４】回動アームの起立角度と復元力の関係を示す。
【発明を実施するための形態】
【０００８】
本発明に係る起上式防水扉装置の構造例を手動式にて以下図面に基づいて説明する。
本発明は、防水扉の裏面を押し上げる回動アームの移動軌跡をガイド部材で改善した点に特徴があり、この点において防水扉の他の構造に制限はなく、本実施例に限定されない。
また、駆動源を用いた自動式にも展開できる。
【０００９】
防水扉装置１０は、図１（ａ）に示すように平常時は出入口の通路面下に埋設された収納部１２に防水扉１１を概ね水平状態に収納してある。
防水扉１１は、起立時に下側となる部分が支持装置１５に回動可能に支持されている。
防水扉１１の裏面側を押し上げるための回動アーム１４を有し、回動アーム１４は根元側が弾性復元装置１３に連結され、回動アーム１４に防水扉１１を押し上げる復元力が作用している。
【００１０】
図３に収納時の防水扉を除いた状態の平面図を示す。
本実施例ではトーションコイルバネ１３ａ，１３ｂを連設し、トーションコイルバネの一端に連結した回動部材１４ｂに回動アーム１４の根元側を連結し、回動アームの先端部にローラー１４ａを回転自在に取り付けた例になっている。
また、本実施例では防水扉１１の左右２ヶ所に弾性復元装置１３及び回動アーム１４を設置した例になっているが、その数は防水扉の大きさにより設定される。
防水扉１１の裏面側には図２に示すように２枚の円弧形状板１１６，２１６を間隔ｄを隔てて取り付けてある。
これにより回動アーム１４がガイド部材１６と干渉するのを防止してある。
【００１１】
次にガイド部材の取付位置について説明する。
図１（ａ）に示すように防水扉１１が概ね水平状態である収納時には、回動アーム１４の先端部のローラ−１４ａが円弧形状部の始点１６ａに接するようになっていて、防水扉１１が起立回動中は図１（ｂ）に示すようにローラー１４ａがガイド部材１６の円弧形状部沿って防水扉１１の根元側に向けて移動する。
防水扉１１の起立状態では図１（ｃ）に示すようにローラー１４ａは円弧形状部終点１６ｂに接するようになっている。
本実施例では起立終了時に防水扉１１がカム機構１５ａによりシール部材１７に向けて少し移動するようになっている。
このような円弧形状部は始点１６ａと終点１６ｂとの直線距離を半径とする円を描き、この円に対して前記始点１６ａと終点１６ｂとの直線距離に相当する長さが弦となる円弧部の形状として求められることができる。
【００１２】
図４のグラフに防水扉１１の起立方向角度と回動アーム１４に作用する復元力の関係を示す。
Ａが本発明に係る円弧形状部からなるガイド部材１６を防水扉の裏面側に取り付けた場合で、Ｂは従来の防水扉の平坦な裏面に沿って、回動アームの先端部が移動した場合である。
Ｂは防水扉１１の立ち上げに伴って復元力が急激に低下するのに対して、Ａは特に角度１０〜４５℃の範囲にて復元力の急激な低下が抑えられていることが分かる。
また、Ｂは復元力を大きくするためにコイルバネを強くすると、収納時のはね上がり力が大きくなることも分かる。
【符号の説明】
【００１３】
１０      防水扉装置
１１      防水扉
１２      収納部
１３      弾性復元装置
１４      回動アーム
１５      支持装置
１６      ガイド部材
１６ａ    始点
１６ｂ    終点
【図１】
2016118039.tif 000003
【図２】
2016118039.tif 000004
【図３】
2016118039.tif 000005
【図４】
2016118039.tif 000006